(57)【要約】【課題】本発明は回転軸の耐摩耗性向上機能をもつブルートゥース（登録商標）ヘッドセットのワイヤ自動捲線モジュールに関するものである。  【解決手段】本発明は、長期間使用しても、回転軸の捩れなしで堅固に回転軸を維持することによって、ターミナル端子とPCBパターン間の分離を防止して、ショート及び短絡が発生することを防ぐことができる。【選択図】図２
2018038028.tif 000002
【特許請求の範囲】
【請求項１】
ベースハウジング、ワイヤ、外周縁にワイヤが捲線されるコイルハウジングおよびキャップを含んで構成されるブルートゥース（登録商標）ヘッドセットのワイヤ自動捲線モジュールであって、
前記ベースハウジングは、
ケースの一側の面の中央に、一側の面と垂直をなすように突出形成された円筒形の固定軸を含んで構成され、
前記コイルハウジングは、
一側が開口されている円筒形のカバー形で構成されるサブベース下部ハウジングと、
前記サブベース下部ハウジングの他側の中央に構成され、外周縁にワイヤが捲線されるように構成される円筒状の捲線ボビンと、
前記捲線ボビンの他側に構成され、前記捲線ボビンを中心に前記サブベース下部ハウジングが開口する方向と反対方向に他側が開口されている円筒状に構成されるサブベース上部ハウジングとを含んで構成され、
前記固定軸が前記サブベース下部ハウジング、前記捲線ボビン、前記サブベース上部ハウジングの中央部を連続的に貫通しながら結合できるように中央部がそれぞれ穿孔形成され、穿孔形成された中央部の内周縁に耐摩耗性向上インサートを含んで構成されることを特徴とする回転軸の耐摩耗性向上機能をもつブルートゥースヘッドセットのワイヤ自動捲線モジュール。
【請求項２】
前記ブルートゥースヘッドセットのワイヤ自動捲線モジュールは、
ローリングされた形態で弾性を持つように構成され、前記サブベース上部ハウジングの内部に収容されて前記コイルハウジングに回転力を提供するように構成されるローリング弾性部材と；
前記ベースハウジングおよび前記コイルハウジングの一側に結合されて、ボタンを押すと、前記ローリング弾性部材の弾性によって前記コイルハウジングが回転することによって、ワイヤが前記コイルハウジングに巻き取られるように構成されているボタン部と；をさらに含んで構成することによって、ボタン式に構成できることを特徴とする請求項１に記載の回転軸の耐摩耗性向上機能をもつブルートゥースヘッドセットのワイヤ自動捲線モジュール。
【請求項３】
前記ブルートゥースヘッドセットのワイヤ自動捲線モジュールは、
一側が前記サブベース上部ハウジングの開口部をカバーし、前記サブベース上部ハウジングと結合できるように、カバー形で構成され、他側面にストッパーボールが移動するためのトラックが形成されたキャップと;
前記トラックに沿って移動するように、前記トラック上に位置するストッパーボールと；
前記ベースハウジングと結合できるように構成され、前記ベースハウジングと結合する時、前記キャップの前記トラックが形成されている一側面の全体を覆うように構成されているメインケースと;を含んで構成することによって、ボールストッパー式に構成できることを特徴とする請求項１に記載の回転軸の耐摩耗性向上機能をもつブルートゥースヘッドセットのワイヤ自動捲線モジュール。
【発明の詳細な説明】
【技術分野】
【０００１】
本発明はワイヤ自動捲線モジュールに関するものであり、より詳細には、長期間使用しても、回転軸の捩れなしで堅固に回転軸を維持することによって、ターミナル端子とPCBパターン間の分離を防止して、ショート及び短絡の発生を防ぐことができる、回転軸の耐摩耗性向上機能をもつブルートゥース（登録商標）ヘッドセットのワイヤ自動捲線モジュールに関するものである。  
【背景技術】
【０００２】
科学技術の開発により、MP３、スマートフォンやタブレットPCで音楽を聞いたり、動画を視聴することが一般化されており、使用場所にかかわらずイヤホンを接続して使用することが頻繁に発生している。
【０００３】
通常、前記イヤホンは、音響を出力するイヤホン出力部と、イヤホンの出力部と機器とを接続して機器から発生する信号出力をイヤホン出力部に供給するイヤホンワイヤとで構成される。
【０００４】
一般に、前記イヤホンワイヤは、イヤホンを使用するために不便を生じないように余分の長さを持つように作られる。その結果、ユーザーがイヤホンを使用しない場合、ワイヤがもつれたり、複雑になる。以後の使用時にはワイヤのもつれを解消する必要があるという手間や不便さがある。
【０００５】
したがって、前記のような問題を解決するために'特許文献１'及び'特許文献２'の技術が提案されている。
【０００６】
'特許文献１'は電子機器で使用される自動ワインディング装置に関するものであり、ベースプレートと、前記ベースプレートのいずれか一側面からベースプレートの縦方向に突出される固定軸と、前記固定軸に貫通されたまま固定軸を基準に回転するホイールと、一端が前記ホイールの周り面に固定されてホイールに沿ってホイールの周り面に巻くワイヤと、ロール(Roll)形態で巻かれ、一端が固定軸に固定され、他端がホイールのいずれか一つの部分に固定される弾性部材と、前記ホイールと一体として結合された状態でホイールと共に回転し、上部ケースを見合わせる面にボールトラックを備えたキャップ(Cap)と、前記キャップをカバーし、ボールを嵌めるように一字形の溝を備えた上部ケースと、前記ボールトラックと上部ケースの一字形の溝との間に嵌めてホイールと一体に結合されたキャップがいずれか一つの方向に回転する時、一字形の溝に嵌めた状態でボールトラックに乗って回転するボール(Ball)とを含んで構成される。
【０００７】
'特許文献２'は、電子機器で使用される自動ワインディング装置に関するものであり、ベースプレートと、前記ベースプレートのいずれか一側面からベースプレートの縦方向に突出される固定軸と、前記固定軸に貫通されたまま固定軸を基準に回転するホイールと、一端が前記ホイールの周り面に固定されてホイールに沿ってホイールの周り面に巻くワイヤと、ロール(Roll)形態で巻かれ、一端が固定軸に固定され、他端がホイールのいずれか一つの部分に固定される弾性部材と、前記ホイールと一体として結合された状態でホイールと共に回転され、上部ケースを見合わせる面にトラックを備えたキャップと、前記キャップをカバーするケースと、前記キャップとケースとの間に挟まれ、弾性を持ったまま円弧形で曲げられて一端がケースに固定され、他の端がトラックに挿入するワイヤスプリングとでなり、前記トラックは、キャップの円周方向に凹面に入った外部トラックと、前記外部トラックの半径内側に形成され、キャップの円周方向に凹面に入った内部トラックと、凹面に入った状態で内部トラックと外部トラックとを接続する２つ以上の一字形の接続トラックと、凹面に入った状態で内部トラックと外部トラックとを接続し、'>'の形に曲げながら一つの一字形の接続ラックと他の一字形の接続トラックとの間に配置された２つ以上のストップ(Stop)接続トラックとで構成されるものである。
【０００８】
しかしながら、前記'特許文献１'及び'特許文献２'は、長期使用時、回転により内部の部品が摩耗することによって、回転軸が堅固に形成されておらず、回転軸が瓦解するため、回転軸が変形し、これにより、動作時に部品が所定の位置から逸脱することによって、ターミナル端子とPCBパターン間の分離が発生し、ショートまたは短絡が発生するようになる。また、ボールがトラックに挟まれたり、トラックから分離されて自動巻取りが不可能になるなどの故障が頻繁に発生するという問題がある。
【０００９】
また、PCBパターンに接触するターミナル端子の増加時、例えば、４PINターミナル端子及び４PINターミナル端子用PCBパターンを適用する時、より精密な回転による相互接触(PCBパターンとターミナル端子)が必要になるが、前記'特許文献１'及び'特許文献２'に記載の従来の技術は、長期使用時、回転により部品の回転軸がゆがんだり、回転軸から分離することによって、ショートまたは短絡が容易く発生するので、これらを改善するための技術が必要である。
【先行技術文献】
【特許文献】
【００１０】
【特許文献１】韓国特許登録公報第１０-１４７１９０３号(２０１４年１２月０５日)
【特許文献２】韓国特許登録公報第１０-１４７１９０４号(２０１４年１２月０５日)
【発明の概要】
【発明が解決しようとする課題】
【００１１】
したがって、本発明は前記のような問題点を解決するために提案された技術であって、発明の目的は、長期間使用しても、回転軸の捩れなしで堅固に回転軸を維持することによって、ターミナル端子とPCBパターン間の分離を防止して、ショート及び短絡が発生することを防ぐことができるボタン式ワイヤ自動捲線モジュールの提供にある。
【００１２】
また、本発明の他の目的は、長期間使用しても、回転軸の捩れなしで堅固に回転軸を維持することによって、回転軸の捩れによるワイヤ捲線機能の故障を防ぐことができるボタン式ワイヤ自動捲線モジュールの提供にある。
【課題を解決するための手段】
【００１３】
前記目的を達成するための本発明による回転軸の耐摩耗性向上機能をもつブルートゥースヘッドセットのワイヤ自動捲線モジュールは、ベースハウジング、ワイヤ、外周縁にワイヤが捲線されるコイルハウジングおよびキャップを含んで構成されるブルートゥースヘッドセットのワイヤ自動捲線モジュールにおいて、前記ベースハウジングは、ケースの一面中央に、一面と垂直をなすように突出形成された円筒形の固定軸１１０を含んで構成され；前記コイルハウジングは、一側が開口されている円筒形のカバー形で構成されるサブベース下部ハウジングと、前記サブベース下部ハウジングの他側の中央に構成され、外周縁にワイヤが捲線されるように構成される円筒状の捲線ボビンと、前記捲線ボビンの他側に構成され、前記捲線ボビンを中心に前記サブベース下部ハウジングが開口する方向と反対側に他側が開口されている円筒状に構成されるサブベース上部ハウジングとを含んで構成され、前記固定軸が前記サブベース下部ハウジング、前記捲線ボビン、前記サブベース上部ハウジングの中央部を連続的に貫通しながら結合できるように中央部がそれぞれ穿孔形成され、穿孔形成された中央部の内周縁に耐摩耗性向上インサートを含んで構成されることを特徴とする。
【００１４】
また、前記ブルートゥースヘッドセットのワイヤ自動捲線モジュールは、ローリングされた形態で弾性を持つように構成され、前記サブベース上部ハウジングの内部に収容されて前記コイルハウジングに回転力を提供するように構成されるローリング弾性部材と；前記ベースハウジングおよび前記コイルハウジングの一側に結合されて、ボタンを押すと、前記ローリング弾性部材の弾性によって前記コイルハウジングが回転することによって、ワイヤが前記コイルハウジングに巻き取られるように構成されているボタン部と；をさらに含んで構成することによって、ボタン式に構成できることを特徴とする。
【００１５】
また、前記ブルートゥースヘッドセットのワイヤ自動捲線モジュールは、一側が前記サブベース上部ハウジングの開口部をカバーし、前記サブベース上部ハウジングと結合できるように、カバー形で構成され、他側面にストッパーボールが移動するためのトラックが形成されたキャップと;前記トラックに沿って移動するように、前記トラック上に位置するストッパーボールと；前記ベースハウジングと結合できるように構成され、前記ベースハウジングと結合する時、前記キャップの前記トラックが形成されている一側面の全体を覆うように構成されているメインケースと;を含んで構成することによって、ボールストッパー式に構成できることを特徴とする。
【発明の効果】
【００１６】
したがって、本発明は、長期間使用しても、回転軸の捩れなしで堅固に回転軸を維持することによって、ターミナル端子とPCBパターン間の分離を防止して、ショート及び短絡が発生することを防ぐことができるボタン式ワイヤ自動捲線モジュールを提供する効果を持つ。
【００１７】
また、本発明は、長期間使用しても、回転軸の捩れなしで堅固に回転軸を維持することによって、回転軸の捩れによるワイヤ捲線機能の故障を防ぐことができるボタン式ワイヤ自動捲線モジュールを提供する効果を持つ。
【図面の簡単な説明】
【００１８】
【図１】本発明の第１の実施例による回転軸の耐摩耗性向上機能をもつブルートゥースヘッドセットのワイヤ自動捲線モジュールの分解斜視図である。
【図２】本発明の第１の実施例による回転軸の耐摩耗性向上機能をもつブルートゥースヘッドセットのワイヤ自動捲線モジュールのコイルハウジング４００に耐摩耗性向上インサート４４０が結合した形を示す図面である。
【図３】本発明の第１の実施例による回転軸の耐摩耗性向上機能をもつブルートゥースヘッドセットのワイヤ自動捲線モジュールの結合断面図である。
【図４】本発明の第２の実施例による回転軸の耐摩耗性向上機能をもつブルートゥースヘッドセットのワイヤ自動捲線モジュールの分解斜視図である。
【図５】本発明の第２の実施例による回転軸の耐摩耗性向上機能をもつブルートゥースヘッドセットのワイヤ自動捲線モジュールのコイルハウジング４００に耐摩耗性向上インサート４４０が結合した形を示す図面である。
【図６】本発明の第２の実施例による回転軸の耐摩耗性向上機能をもつブルートゥースヘッドセットのワイヤ自動捲線モジュールの結合断面図である。
【発明を実施するための形態】
【００１９】
以下、本発明は様々な変更を加えられるし、いろいろな実施例が可能となるところ、特定の実施例を図面に例示して詳しく説明する。しかし、これは本発明を特定の実施形態に限定するものではなく、本発明の思想及び技術範囲に含まれるすべての変更、均等物乃至代替物を含むものであると理解されなければならない。
【００２０】
本実施例は当該発明が属する技術分野で通常の知識を持った者に本発明をもっと詳しく説明するために提供される。従って、図面に示した各要素の形状はよりはっきりとした説明を強調するために誇張されることがあるし、本発明の説明において関連した公知技術に対する具体的な説明が本発明の要旨をにそぐわないと判断される場合、その詳しい説明を省略する。
【００２１】
以下、本発明の望ましい実施例を添付された図面を参考してもっと詳しく説明する。
【００２２】
まず本発明は、ベースハウジング１００、ワイヤ、外周縁にワイヤが捲線されるコイルハウジング４００およびキャップ７００を含んで構成されているブルートゥースヘッドセットのワイヤ自動捲線モジュールにおいて、
ケースの一面中央に、一面と垂直をなすように突出形成された円筒形の固定軸１１０を含んで構成されるベースハウジング１００と；
一側が開口されている円筒形のカバー形で構成されるサブベース下部ハウジング４１０と、
前記サブベース下部ハウジング４１０の他側の中央に構成され、外周縁にワイヤが捲線されるように構成される円筒状の捲線ボビン４２０と、
前記捲線ボビン４２０の他側に構成され、前記捲線ボビン４２０を中心に前記サブベース下部ハウジング４１０が開口する方向と反対側に他側が開口されている円筒状に構成されるサブベース上部ハウジング４３０とを含んで構成され、前記固定軸１１０が前記サブベース下部ハウジング４１０、前記捲線ボビン４２０、前記サブベース上部ハウジング４３０の中央部を連続的に貫通しながら結合できるように中央部がそれぞれ穿孔形成され、穿孔形成された中央部の内周縁に耐摩耗性向上インサート４４０をさらに含んで構成されるコイルハウジング４００と；を含んで構成される。
【００２３】
図１乃至図３を参照すれば、第１の実施例による本発明は、ワイヤ自動捲線モジュールである。
【００２４】
この時、本発明は、一側面の中央に、一側面と垂直の方向に円筒形の固定軸１１０が形成されたベースハウジング１００を含んで構成することができる。
【００２５】
この時、本発明は、前記ベースハウジング１００の一側面に結合され、前記固定軸１１０が中央部を貫通しながら結合できるように中央部が穿孔形成され、前記ベースハウジング１００と接触される面の反対面にPCBパターン２１０が形成されているPCB基板２００を含んで構成することができる。
【００２６】
この時、本発明は、一側面にPIN接触端子３１０が結合されて構成され、前記固定軸１１０が中央部を貫通しながら結合できるように中央部が穿孔形成され、結合時に、前記PIN接触端子３１０が前記PCB基板２００のPCBパターン２１０と接触するように構成されている接触端子結合プレート３００を含んで構成することができる。
【００２７】
この時、本発明は、一側が開口されている円筒形のカバー形で構成されるサブベース下部ハウジング４１０と、
前記サブベース下部ハウジング４１０の他側の中央に構成され、外周縁にワイヤが捲線されるように構成される円筒状の捲線ボビン４２０と、
前記捲線ボビン４２０の他側に構成され、前記捲線ボビン４２０を中心に前記サブベース下部ハウジング４１０が開口する方向と反対側に他側が開口されている円筒状に構成されるサブベース上部ハウジング４３０とを含んで構成され、前記固定軸が中央部を連続的に貫通しながら結合できるように中央部がそれぞれ穿孔形成され、穿孔形成された中央部の内周縁に耐摩耗性向上インサート４４０をさらに含んで構成されるコイルハウジング４００を含んで構成することができる。
【００２８】
この時、本発明は、ローリングされた形態で弾性を持つように構成され、前記サブベース上部ハウジング４３０の内部に収容されて前記コイルハウジング４００に回転力を提供するように構成されるローリング弾性部材５００をさらに含んで構成することができる。
【００２９】
この時、本発明は、前記固定軸１１０の端部に結合されて、前記コイルハウジング４００および前記ローリング弾性部材５００が前記固定軸１１０から分離されることを防止するように構成される閉鎖クリップ６００をさらに含んで構成することができる。
【００３０】
この時、本発明は、一側が前記サブベース上部ハウジング４３０の開口部をカバーし、前記サブベース上部ハウジング４３０との結合を可能にするカバー形で構成されるキャップ７００をさらに含んで構成することができる。
【００３１】
この時、本発明は、前記ベースハウジング１００および前記コイルハウジング４００の一側に結合されて、ボタンを押すと、前記ローリング弾性部材５００の弾性によって前記コイルハウジング４００が回転することによって、ワイヤが前記コイルハウジング４００に巻き取られるように構成されているボタン部(未図示)を含んで構成することができる。
【００３２】
前記ベースハウジング１００は、プレート型で構成され、一側面の中央に、一側面と垂直の方向に形成される円筒状の固定軸１１０を含んで構成される。
【００３３】
前記PCB基板２００は、前記ベースハウジング１００の一側面に結合するように構成される。
【００３４】
前記PCB基板２００は、前記固定軸１１０が中央部を貫通しながら結合できるように中央部が穿孔形成され、前記PCB基板２００は、前記ベースハウジング１００と接触される面の他側面にPCBパターン２１０を含んで構成される。
【００３５】
この時、前記PCBパターン２１０は、２PIN用PCBパターンで構成することができる。
【００３６】
この時、前記PCBパターン２１０は、４PIN用PCBパターンで構成することができる。
【００３７】
前記接触端子結合プレート３００は、一側面にPIN接触端子３１０が結合されて構成されている。
【００３８】
この時、前記PIN接触端子３１０は、前記PCBパターン２１０に合わせて、２PIN接触端子または４PIN接触端子のうち、いずれか１つを構成することができる。
【００３９】
前記接触端子結合プレート３００は、前記固定軸１１０が中央部を貫通しながら結合できるように中央部が穿孔形成される。
【００４０】
前記接触端子結合プレート３００は、前記固定軸１１０を中心に回転するように構成することができる。
【００４１】
前記接触端子結合プレート３００は、前記固定軸１１０と結合する時、前記PIN接触端子３１０が前記PCB基板２００のPCBパターン２１０と接触するように構成される。
【００４２】
前記コイルハウジング４００は、サブベース下部ハウジング４１０、捲線ボビン４２０、及びサブベース上部ハウジング４３０を含んで構成される。
【００４３】
前記コイルハウジング４００は、前記固定軸が中央部を連続的に貫通しながら結合できるように中央部がそれぞれ穿孔形成される。
【００４４】
前記コイルハウジング４００は、前記固定軸１１０を中心に回転するように構成することができる。
【００４５】
前記コイルハウジング４００は、穿孔形成された中央部の内周縁に耐摩耗性向上インサート４４０を含んで構成される。
【００４６】
前記耐摩耗性向上インサート４４０は、金属で構成されるのが望ましい。
【００４７】
前記サブベース下部ハウジング４１０は、一側が開口されている円筒形のカバー形で構成される。
【００４８】
前記サブベース下部ハウジング４１０は、前記固定軸１１０が中央部を貫通しながら結合できるように、中央部が穿孔形成される。
【００４９】
前記サブベース下部ハウジング４１０は、前記固定軸１１０と結合する時、前記PCB基板２００および前記接触端子結合プレート３００を内部に収容するように構成される。
【００５０】
前記捲線ボビン４２０は、円筒形であって、前記サブベース下部ハウジング４１０の他側の中央に構成され、外周縁にワイヤが捲線されるように構成される。
【００５１】
前記捲線ボビン４２０は、前記固定軸１１０が前記サブベース下部ハウジング４１０の中央部を貫通し、結合時に、連続的に貫通しながら結合できるように中央部が穿孔形成される。
【００５２】
前記サブベース上部ハウジング４３０は、前記捲線ボビン４２０の他側に構成され、前記捲線ボビン４２０を中心に前記サブベース下部ハウジング４１０が開口する方向と反対の方向に他側が開口され、円筒状に構成される。
【００５３】
前記サブベース上部ハウジング４３０は、前記固定軸１１０が前記サブベース下部ハウジング４１０および前記捲線ボビン４２０と連続して貫通しながら結合できるように、中央部が穿孔形成される。
【００５４】
前記サブベース上部ハウジング４３０は、内部にローリング弾性部材５００および閉鎖クリップ６００を収容できるように、収容空間が形成されるように構成される。
【００５５】
すなわち、前記コイルハウジング４００は、前記捲線ボビン４２０を中心に、一側に前記サブベース下部ハウジング４１０が外側に向かって開口された形態で結合され、他側に前記サブベース上部ハウジング４３０が外側に向かって開口された形態で結合されることである。
【００５６】
前記ローリング弾性部材５００は、ローリングされた形態で弾性を持つように構成される。
【００５７】
前記ローリング弾性部材５００は、前記固定軸１１０が前記コイルハウジング４００に貫通され、結合された後、前記固定軸１１０の締結溝１１１と嵌め込み締結するように構成される。
【００５８】
すなわち、前記ローリング弾性部材５００は、ローリングした状態で中心部に位置する一端部が前記固定軸１１０と結合し、外郭に位置する他端部が前記サブベース上部ハウジング４３０と結合するように構成することによって、前記コイルハウジング４００が前記固定軸１１０を中心に回転する時、前記コイルハウジング４００に弾性を提供して、前記コイルハウジング４００が反対の方向に回転できるようになる。
【００５９】
前記ローリング弾性部材５００は、前記サブベース上部ハウジング４３０の内部に収容されて前記コイルハウジング４００に回転力を提供するように構成される。
【００６０】
前記閉鎖クリップ６００は、前記固定軸１１０の端部に結合するように構成される。
【００６１】
前記閉鎖クリップ６００は、前記コイルハウジング４００および前記ローリング弾性部材５００が前記固定軸１１０から分離されることを防止するように構成される。
【００６２】
前記キャップ７００は、一側が前記サブベース上部ハウジング４３０の開口部をカバーし、前記サブベース上部ハウジング４３０との結合を可能にするカバーとして構成される。
【００６３】
前記キャップ７００は、一側面の中央の前記締結溝１１１の端部が引き込まれる引込み締結溝挿入部７１１が凹溝形成されて構成される。
【００６４】
したがって、第１の実施例による本発明は、ボタンのタイプとして、回転軸の耐摩耗性が向上されたブルートゥースヘッドセットのワイヤ自動捲線モジュールを提供できるようになる。
【００６５】
図４から図６を参照すれば、第２の実施例による本発明は、ワイヤ自動捲線モジュールである。
【００６６】
この時、本発明は、一側面の中央に、一側面と垂直の方向に円筒形の固定軸１１０が形成されたベースハウジング１００を含んで構成することができる。
【００６７】
この時、本発明は、前記ベースハウジング１００の一側面に結合され、前記固定軸１１０が中央部を貫通しながら結合できるように中央部が穿孔形成され、前記ベースハウジング１００と接触される面の反対面にPCBパターン２１０が形成されているPCB基板２００を含んで構成することができる。
【００６８】
この時、本発明は、一側面にPIN接触端子３１０が結合されて構成され、前記固定軸１１０が中央部を貫通しながら結合できるように中央部が穿孔形成され、結合時に、前記PIN接触端子３１０が前記PCB基板２００のPCBパターン２１０と接触するように構成されている接触端子結合プレート３００を含んで構成することができる。
【００６９】
この時、本発明は、一側が開口されている円筒形のカバー形で構成されるサブベース下部ハウジング４１０と、
前記サブベース下部ハウジング４１０の他側の中央に構成され、外周縁にワイヤが捲線されるように構成される円筒状の捲線ボビン４２０と、
前記捲線ボビン４２０の他側に構成され、前記捲線ボビン４２０を中心に前記サブベース下部ハウジング４１０が開口する方向と反対側に他側が開口されている円筒状に構成されるサブベース上部ハウジング４３０とを含んで構成され、前記固定軸が中央部を連続的に貫通しながら結合できるように中央部がそれぞれ穿孔形成され、穿孔形成された中央部の内周縁に耐摩耗性向上インサート４４０をさらに含んで構成されるコイルハウジング４００を含んで構成することができる。
【００７０】
この時、本発明は、ローリングされた形態で弾性を持つように構成され、前記サブベース上部ハウジング４３０の内部に収容されて前記コイルハウジング４００に回転力を提供するように構成されるローリング弾性部材５００を含んで構成することができる。
【００７１】
この時、本発明は、円板型で構成され、前記固定軸１１０が中央部を貫通しながら結合できるように中央部が穿孔形成され、結合時に、前記ローリング弾性部材５００の両側に位置した状態で前記固定軸１１０と結合され、前記サブベース上部ハウジング４３０の内部に収容することによって、ローリング塗布されたグリースの漏出を防止するように構成される一対のグリースカバープレート１０００を含んで構成することができる。
【００７２】
この時、本発明は、一側が前記サブベース上部ハウジング４３０の開口部をカバーし、前記サブベース上部ハウジング４３０との結合を可能にするカバー形で構成され、他側面にストッパーボールが移動するためのトラック７２０が形成されるキャップ７００を含んで構成することができる。
【００７３】
この時、本発明は、前記トラック７２０に沿って移動するように、前記トラック７２０上に位置するストッパーボール８００を含んで構成することができる。
【００７４】
この時、本発明は、前記ベースハウジング１００と結合できるように構成され、前記ベースハウジング１００と結合する時、前記キャップ７００の前記トラック７２０が形成されている一側面の全体を覆うように構成されているメインケース９００を含んで構成することができる。
【００７５】
前記ベースハウジング１００は、プレート型で構成され、一側面の中央に、一側面と垂直の方向に形成される円筒状の固定軸１１０を含んで構成される。
【００７６】
前記ベースハウジング１００は、一側面内の最外廓に、放射状に配置されて多数の結合溝１２０をさらに構成することができる。
【００７７】
前記PCB基板２００は、前記ベースハウジング１００の一側面に結合するように構成される。
【００７８】
前記PCB基板２００は、前記固定軸１１０が中央部を貫通しながら結合できるように中央部が穿孔形成される。
【００７９】
前記PCB基板２００は、ベースハウジング１００と接触される面の他側面にPCBパターン２１０を含んで構成される。
【００８０】
この時、前記PCBパターン２１０は、２PIN用PCBパターンで構成することができる。
【００８１】
この時、前記PCBパターン２１０は、４PIN用PCBパターンで構成することができる。
【００８２】
前記接触端子結合プレート３００は、一側面jにPIN接触端子３１０が結合されて構成される。
【００８３】
この時、前記PIN接触端子３１０は、前記PCBパターン２１０に合わせて、２PIN接触端子または４PIN接触端子のうち、いずれか１つを構成することができる。
【００８４】
前記接触端子結合プレート３００は、前記固定軸１１０が中央部を貫通しながら結合できるように中央部が穿孔形成される。
【００８５】
前記接触端子結合プレート３００は、前記固定軸１１０を中心に回転するように構成することができる。
【００８６】
前記接触端子結合プレート３００は、前記固定軸１１０と結合する時、前記PIN接触端子３１０が前記PCB基板２００のPCBパターン２１０と接触するように構成される。
【００８７】
前記コイルハウジング４００は、サブベース下部ハウジング４１０、捲線ボビン４２０、及びサブベース上部ハウジング４３０を含んで構成される。
【００８８】
前記コイルハウジング４００は、前記固定軸が中央部を連続的に貫通しながら結合できるように中央部がそれぞれ穿孔形成される。
【００８９】
前記コイルハウジング４００は、前記固定軸１１０を中心に回転するように構成することができる。
【００９０】
前記コイルハウジング４００は、穿孔形成された中央部の内周縁に耐摩耗性向上インサート４４０を含んで構成される。
【００９１】
前記耐摩耗性向上インサート４４０は、金属で構成されるのが望ましい。
【００９２】
前記サブベース下部ハウジング４１０は、一側が開口されている円筒形のカバー形で構成される。
【００９３】
前記サブベース下部ハウジング４１０は、前記固定軸１１０が中央部を貫通しながら結合できるように、中央部が穿孔形成される。
【００９４】
前記サブベース下部ハウジング４１０は、前記固定軸１１０と結合する時、前記PCB基板２００および前記接触端子結合プレート３００を内部に収容するように構成される。
【００９５】
前記捲線ボビン４２０は、円筒形であって、前記サブベース下部ハウジング４１０の他側の中央に構成され、外周縁にワイヤが捲線されるように構成される。
【００９６】
前記捲線ボビン４２０は、前記固定軸１１０が前記サブベース下部ハウジング４１０の中央部を貫通し、結合時に、連続的に貫通しながら結合できるように、中央部が穿孔形成される。
【００９７】
前記サブベース上部ハウジング４３０は、前記捲線ボビン４２０の他側に構成され、前記捲線ボビン４２０を中心に前記サブベース下部ハウジング４１０が開口する方向と反対側に他側が開口されている円筒状に構成される。
【００９８】
前記サブベース上部ハウジング４３０は、前記固定軸１１０が前記サブベース下部ハウジング４１０および前記捲線ボビン４２０と連続して貫通しながら結合できるように、中央部が穿孔形成される。
【００９９】
前記サブベース上部ハウジング４３０は、内部にローリング弾性部材５００およびグリースカバープレート１０００を収容できるように、収容空間が形成されるように構成される。
【０１００】
つまり、前記コイルハウジング４００は、前記捲線ボビン４２０を中心に、一側に前記サブベース下部ハウジング４１０が外側に向かって開口された形態で結合され、他側に前記サブベース上部ハウジング４３０が外側に向かって開口された形態で結合されることである。
【０１０１】
前記ローリング弾性部材５００は、ローリングされた形態で弾性を持つように構成される。
【０１０２】
前記ローリング弾性部材５００は、前記固定軸１１０が前記コイルハウジング４００に貫通され、結合された後、前記固定軸１１０の締結溝１１１と嵌め込み締結するように構成される。
【０１０３】
すなわち、前記ローリング弾性部材５００は、ローリングした状態で中心部に位置する一端部が前記固定軸１１０と結合し、外郭に位置する他端部が前記サブベース上部ハウジング４３０と結合するように構成することによって、前記コイルハウジング４００が前記固定軸１１０を中心に回転する時、前記コイルハウジング４００に弾性を提供して、前記コイルハウジング４００が反対の方向に再び回転できるようになる。
【０１０４】
前記ローリング弾性部材５００は、前記サブベース上部ハウジング４３０の内部に収容されて前記コイルハウジング４００に回転力を提供するように構成される。
【０１０５】
前記グリースカバープレート１０００は、円板型で構成される。
【０１０６】
前記グリースカバープレート１０００は、前記固定軸１１０が中央部を貫通しながら結合できるように中央部が穿孔形成される。
【０１０７】
前記グリースカバープレート１０００は、前記固定軸１１０を中心に回転するように構成することができる。
【０１０８】
前記グリースカバープレート１０００は、一対で構成され、前記固定軸１１０と結合する時、前記ローリング弾性部材５００の両側に位置した状態で前記固定軸１１０と結合するように構成される。
【０１０９】
前記グリースカバープレート１０００は、前記サブベース上部ハウジング４３０の内部に収容することによって、前記ローリング弾性部材５００に塗布されたグリースの漏出を防止するように構成される。
【０１１０】
前記キャップ７００は、一側が前記サブベース上部ハウジング４３０の開口部をカバーし、前記サブベース上部ハウジング４３０との結合を可能にするカバー形で構成される。
【０１１１】
前記キャップ７００は、一側面の中央に前記締結溝１１１の端部が引き込まれる引込み締結溝挿入部７１１が凹溝形成されて構成される。
【０１１２】
前記キャップ７００は、他側面にストッパーボールが移動するためのトラック７２０が構成される。
【０１１３】
前記キャップ７００は、他側面の中央に回転軸挿入突起７３０が構成される。
前記ストッパーボール８００は、前記トラック７２０に沿って移動するように、前記トラック７２０上に位置する。
【０１１４】
前記メインケース９００は、前記ベースハウジング１００と結合できるように構成されている。
【０１１５】
前記メインケース９００は、前記ベースハウジング１００と結合する時、前記キャップ７００の前記トラック７２０が形成された一側の全体を覆うように構成される。
【０１１６】
前記メインケース９００は、一側面の中央に、前記回転軸挿入突起７３０が引込みできるように、回転軸引込み溝９３０が凹溝形成または穿孔されて構成される。
【０１１７】
前記メインケース９００は、一側面内の最外廓に、前記ベースハウジング１００の前記結合溝１２０が形成された場所と対応するように放射状に形成されて多数の結合突起９２０を含んで構成される。
【０１１８】
したがって、第２の実施例による本発明は、ボールストッパータイプの、回転軸の耐摩耗性が向上されたブルートゥースヘッドセットのワイヤ自動捲線モジュールを提供できるようになる。
【０１１９】
以上、本発明を実施例によって詳細に説明したが、本発明は実施例によって限定されるものではなく、本発明が属する技術分野において通常の知識を有するものであれば本発明の思想と精神を離れることなく、本発明を修正または変更できるであろう。
【産業上の利用可能性】
【０１２０】
したがって本発明は、長い間使用しても、回転軸の捩れなしで堅固に回転軸を維持することによって、ターミナル端子とPCBパターン間の分離を防止して、ショート及び短絡が発生することを防ぐことができ、また、長期間使用しても、回転軸の捩れなしで堅固に回転軸を維持することによって、回転軸の捩れによる捲線機能の故障を防ぐことができるボタン式ワイヤ自動捲線モジュールを提供する効果があるため、産業的に広く使用できる。
【符号の説明】
【０１２１】
１００：ベースハウジング
２００：PCB基板
３００：接触端子結合プレート
４００：コイルハウジング
５００：ローリング弾性部材
６００：閉鎖クリップ
７００：キャップ
８００：ストッパーボール
９００：メインケース
１０００：グリースカバープレート
【図１】
2018038028.tif 000003
【図２】
2018038028.tif 000004
【図３】
2018038028.tif 000005
【図４】
2018038028.tif 000006
【図５】
2018038028.tif 000007
【図６】
2018038028.tif 000008